(57)【要約】【課題】簡単かつ確実に撮影者本人の頭部の撮影を可能にさせる頭部撮影補助器具を提供する。【解決手段】カメラＣを用いた頭部撮影の補助を行う頭部撮影補助器具１は、カメラＣを所定の位置で保持する保持部材１０と、頭部に装着可能に構成され、カメラＣが頭部の上方で保持されるよう保持部材１０を支持する支持バンド２０と、保持部材１０の下方側に設けられ、撮影後の画像の色調の補正を可能にさせるカラー調整部材３０とを備える。【選択図】図１
2012128399.tif 000002
【特許請求の範囲】
【請求項１】
撮影装置を用いて頭部撮影を行うに際して、頭部撮影を補助する頭部撮影補助器具であって、
頭部に装着可能に構成された頭部装着部と、
前記頭部装着部から上方に延びる態様で設けられた保持部とを備え、
前記保持部は、前記撮影装置を頭部に向けて撮影し得る態様で保持することを特徴とする頭部撮影補助器具。
【請求項２】
前記保持部は貫通孔を有し、前記撮影装置が前記貫通孔に挿入されることにより前記撮影装置を保持する請求項１に記載の頭部撮影補助器具。
【請求項３】
前記保持部は、頭部に所定距離を隔てて対向する態様で設けられた天板部を備え、該天板部は撮影装置を取り付けるための取付部材が設けられるとともに、該取付部材に取り付けられた撮影装置のカメラレンズに対応する位置にレンズ孔が形成されている請求項１に記載の頭部撮影補助器具。
【請求項４】
前記取付部材は、前記天板部の上面において撮影装置の幅より短い距離を隔てた位置から互いに幅方向外側に延びる可撓性の右側取付片および左側取付片を有し、該右側取付片および左側取付片は互いに対向しながら撮影装置の下方から側方、上方にかけて回り込む態様で接続されている請求項３に記載の頭部撮影補助器具。
【請求項５】
前記保持部は、前記頭部装着部より所定の長さ分だけ下方に延在する請求項１ないし請求項４のいずれかに記載の頭部撮影補助器具。
【請求項６】
一部に少なくとも白および黒の色彩を有するカラー調整部材をさらに備え、前記カラー調整部材の一部が前記撮影装置の撮影範囲内に入り込むように設けられる請求項１ないし請求項５のいずれかに記載の頭部撮影補助器具。
【請求項７】
前記保持部および／または前記頭部装着部は、紙素材からなる請求項１ないし請求項６のいずれかに記載の頭部撮影補助器具。
【発明の詳細な説明】
【技術分野】
【０００１】
本発明は、撮影者本人による頭部撮影を可能にさせる頭部撮影補助器具に関する。
【背景技術】
【０００２】
従来より、頭髪が薄くなってきた人たちのために、育毛剤や薬用シャンプーなどといった頭髪や頭皮をケアする商品が多数存在している。このような商品を使用する人たちは、その商品の効果が日々気になり、複数の鏡を用いて合わせ鏡をしたり、デジタルカメラで撮影したりして、上記したような商品の効果の経過を一人で確認している。
【先行技術文献】
【特許文献】
【０００３】
【特許文献１】特開２００４−２２９７８７号公報
【発明の概要】
【発明が解決しようとする課題】
【０００４】
上記のような商品の効果の経過を確認するには、毎回、頭部において同一の位置を確認しなければ正確に確認し得ない。しかしながら、合わせ鏡やデジタルカメラによって、同一の位置を一人で確認することは極めて困難なため、正確には確認することができない。
【０００５】
一方で、上記した特許文献１には、頭部を撮影する装置について開示されているが、頭髪の生えている箇所を撮影することはできない上に、装置そのものも大きく、コストがかかるため、上記したような商品の効果の経過を確認するには不適切である。
【０００６】
そこで、本発明は、上記した問題点に鑑みてなされたものであって、簡単かつ確実に撮影者本人の頭部の撮影を可能にさせる頭部撮影補助器具を提供することを目的とする。
【課題を解決するための手段】
【０００７】
本発明に係る頭部撮影補助器具は、撮影装置を用いて頭部撮影を行うに際して、頭部撮影を補助するものであって、上記の目的を達成するために、頭部に装着可能に構成された頭部装着部と、頭部装着部から上方に延びる態様で設けられた保持部とを備え、保持部は、撮影装置を頭部に向けて撮影し得る態様で保持することを特徴とする。これによれば、本頭部撮影補助器具を用いることによって、撮影装置が頭部に向けて撮影し得る態様で保持されるため、撮影者本人が頭部を簡単かつ確実に撮影することができる。
【０００８】
また、保持部は貫通孔を有し、撮影装置が貫通孔に挿入されることにより撮影装置を保持するのが好ましい。これによれば、撮影装置を簡単かつ確実に保持させることができる。
【０００９】
また、保持部は、頭部に所定距離を隔てて対向する態様で設けられた天板部を備え、該天板部は撮影装置を取り付けるための取付部材が設けられるとともに、該取付部材に取り付けられた撮影装置のカメラレンズに対応する位置にレンズ孔が形成されていてもよい。これによれば、カメラレンズを天板部のレンズ孔に対応させながら撮影装置を天板部の取付部材に取り付けることによって、頭部を同一の高さおよびアングルから簡単かつ確実に撮影することができ、ひいては頭部の状態の経過を正確に把握することが可能となる。
【００１０】
また、取付部材は、天板部の上面において撮影装置の幅より短い距離を隔てた位置から互いに幅方向外側に延びる可撓性の右側取付片および左側取付片を有し、該右側取付片および左側取付片は互いに対向しながら撮影装置の下方から側方、上方にかけて回り込む態様で接続されているのが好ましい。これによれば、取付部材が撮影装置の下方から側方、上方にかけて回り込むため、撮影装置を安定して保持することができる。また、右側取付片および左側取付片の接続位置を変えることにより、サイズ幅の異なる種々の撮影装置に適用することができる。さらに、右側取付片および左側取付片は可撓性であるため、右側取付片および左側取付片を接続する前後に幅方向に力を加えて変形させることにより、取付部材全体の中心位置を幅方向に変更することができ、カメラレンズ位置の異なる種々の撮影装置に対応することが可能となる。
【００１１】
また、保持部は、頭部装着部より所定の長さ分だけ下方に延在するのが好ましい。これによれば、撮影者本人は、頭部装着部より下方に延在する保持部の下端部と本人の顔の部位との位置関係を把握することが可能になるため、これに基づいて、撮影者は一人でも撮影箇所を確実に特定することができる。
【００１２】
また、一部に少なくとも白および黒の色彩を有するカラー調整部材をさらに備え、カラー調整部材の一部が撮影装置の撮影範囲内に入り込むように設けられるのが好ましい。これによれば、撮影した画像の色調を調整し得るため、正確な色彩の画像を確実に得ることができる。
【００１３】
また、保持部および／または頭部装着部は、紙素材からなるのが好ましい。これによれば、コストも安価で、かつ、折りたたみが可能であるため取り扱いも簡単である。
【発明の効果】
【００１４】
本発明によれば、本頭部撮影補助器具を用いることによって、撮影装置が頭部に向けて撮影し得る態様で保持されるため、撮影者本人が頭部を簡単かつ確実に撮影することができる。このため、育毛剤や薬用シャンプーなどの育毛・増毛・発毛関連の商品を使用するに際して、使用者はそれらの商品の頭部に対する効果を継続的に確認することが可能になる。
【図面の簡単な説明】
【００１５】
【図１】第１の実施形態に係る頭部撮影補助器具を示す斜視図である。
【図２】頭部撮影補助器具を示す正面図である。
【図３】図２におけるＩＩＩ−ＩＩＩ線矢視図である。
【図４】頭部撮影補助器具を示す平面図である。
【図５】頭部撮影補助器具を示す背面図である。
【図６】頭部撮影補助器具を装着した状態の左側面図である。
【図７】頭部撮影補助器具で撮影された画像を示す図である。
【図８】第２の実施形態に係る頭部撮影補助器具を示す斜視図である。
【図９】取付部材の展開図である。
【図１０】レンズ位置の異なるカメラ毎の頭部撮影補助器具の平面図である。
【図１１】レンズ位置の異なるカメラ毎の頭部撮影補助器具の正面図である。
【発明を実施するための形態】
【００１６】
＜第１の実施形態＞
次に、本発明に係る頭部撮影補助器具の第１の実施形態について図面を参照しつつ説明する。
【００１７】
本実施形態に係る頭部撮影補助器具（以下「本器具」という）１は、紙素材からなり、図１に示すように、頭部Ｈに装着可能に構成された頭部装着部２０と、頭部装着部２０から上方に延びる態様で設けられた保持部１０とを備え、保持部１０の略中央部に設けられるカラー調整部材３０とを備える。
【００１８】
なお、ここで用いられるカメラＣは、撮影機能を備える携帯端末であり、たとえば、携帯電話などが含まれる。また、カメラＣは、矩形状で所定の厚みの略筺体形状を有し、矩形状の面のいずれか一方側に撮影するためのレンズＰが設けられており、このレンズＰが下方に向くような状態で設けられるものとする。
【００１９】
前記保持部１０は、図２に示すように、上下方向に延びる長尺物であり、第１面１１１、第２面１１２、上部第３面１１３、および、第４面１１４の４面が順に幅方向に隣接している。具体的に、この保持部１０は、矩形状の１枚のシートからなり、縦方向への折り込みを３つ横並びで有しており、これら３つの折り込みに基づいて、各面１１１〜１１４は同一の方向に屈折するように折り込まれている。なお、保持部１０は、第２面１１２と第３面１１３との境界線Ｌを対象軸として左右対称であり、第１面１１１および第４面１１４は対向している。
【００２０】
第２面１１２および第３面１１３には、上端部近傍において両面１１２，１１３にわたって貫通孔１２が形成されている。この貫通孔１２は、第１面１１１と第２面１１２との境界部近傍から第３面１１３と第４面１１４との境界部近傍まで同一幅で形成されており、境界部Ｌについて対称的な略Ｖ字状に形成されている。換言すれば、貫通孔１２は、境界線Ｌの部分が最も低くなるように形成されており、第１面１１１および第４面１１４側に向かって上方に同様の傾斜で形成されている。貫通孔１２の下側における第２面１１２および第３面１１３の端部は、図３に示すように、同一平面上においてＶ字形状をなす。また、同様に、貫通孔１２の上側における第２面１１２および第３面１１３の端部も同一平面上においてＶ字形状をなしている。
【００２１】
上記の貫通孔１２には、図１に示すように、カメラＣが挿入される。カメラＣは、図１中の矢印の示す方向に従って、保持部１０の前方から後方に向けて貫通孔１２に挿入される。このとき、貫通孔１２においては、境界線Ｌの部分が最も低く、境界線Ｌについて対称的な略Ｖ字状に形成されているため、カメラＣを挿入させると、カメラＣは斜め上方に傾斜した状態でスライドされる。貫通孔１２の下側における第２面１１２および第３面１１３の端部が同一平面においてＶ字形状であるため、その下側のＶ字形状の端部がカメラＣに対して仮想的な平面として作用し、所定分だけ挿入されたカメラＣを平面的に支持する。一方、貫通孔１２の上側における第２面１１２および第３面１１３の端部もＶ字形状であるため、カメラＣに対して平面的に作用する。従って、カメラＣは、貫通孔１２の下側のＶ字形状の端部および上側のＶ字形状の端部により、上下両方が平面的に支持されるため、斜め上方に傾斜した状態で安定的に保持部１０に保持され得る。
【００２２】
なお、図示しないが、保持部１０は、カメラＣを保持する位置を一定にするための目安となるカメラ位置特定目盛を備えてもよい。
【００２３】
第１面１１１および第４面１１４には、図２に示すように、各々切欠部１１１ｃ，１１４ｃが備えられている。これら切欠部１１１ｃ，１１４ｃは、各々の中間部において、ともに各面１１１，１１４の後方から前方に向かうにつれて下方向に傾斜するように形成された切り込みにより構成されている。また、切欠部１１１ｃ，１１４ｃが設けられる第１面１１１と第４面１１４とは対向していることより、各切欠部１１１ｃ，１１４ｃの切り込みが平行する。従って、両切欠部１１１ｃ，１１４ｃは、後述するカラー調整部材３０を挿入して固定することが可能である。
【００２４】
また、切欠部１１１ｃ，１１４ｃは、第１面１１１と第２面１１２との境界部近傍および第３面１１３と第４面１１４との境界部近傍まで切り込まれている。従って、第１面１１１および第４面１１４を各々上部と下部との２つの片に分離されるため、第１面１１１および第４面１１４における各上部および各下部が、第１面１１１と第２面１１２との折り込み線および第１面１１１と第２面１１２との折り込み線を回動軸として独立して回動可能である。
【００２５】
また、第１面１１１および第４面１１４には、図２および図５に示すように、挿通孔１３１，１３２が備えられている。これら挿通孔１３１，１３２は、第１面１１１および第４面１１４の下方側に形成された縦長の孔である。ここにおいて、挿通孔１３１，１３２は、切欠部１１１ｃ，１１４ｃの下方であって隣接する第２面１１２や第３面１１３側の近傍側で対をなすように設けられている。また、挿通孔１３１，１３２は、後述の頭部装着部２０を挿通させる程度の大きさで形成されている。従って、これら挿通孔１３１，１３２はいずれも、頭部装着部２０を挿通させることができる。また、挿通孔１３１，１３２における縦方向の長さは頭部装着部２０の幅と略同一であり、挿通孔１３１，１３２における幅方向の長さは頭部装着部２０の厚さと略同一である。
【００２６】
さらに第１面１１１〜第４面１１４には、挿通孔１３１，１３２が設けられる位置よりも所定の長さ分だけ下方に延在する延長部１３５が備えられている。撮影者本人は、延長部１３５の下端と本人の顔の部位との位置関係に基づいて、カメラＣを所定の位置に特定することが可能になるため、撮影箇所を一人でも確実に特定することが可能になる。
【００２７】
前記頭部装着部２０は、図２および図４に示すように、一定の幅および厚みを有し、挿通孔１３１，１３２を外側から連続して挿通する帯状の環部材である。この頭部装着部２０は、挿通孔１３１，１３２の２つの孔を連続して挿通することより、保持部１０を２点で支持するため、保持部１０を安定した状態で支持することができる。また、頭部装着部２０は、頭部Ｈの周方向に巻かれる態様で装着されるため、頭部Ｈの前面側において保持部１０を略直立させた状態で支持することが可能になる。
【００２８】
前記カラー調整部材３０は、シート部材であり、図１に示すように、保持部１０の切欠部１１１ｃ，１１４ｃに差し込まれる態様で固定されている。切欠部１１１ｃ，１１４ｃにおける両切り込みが貫通孔１２の下側端部および上側端部のＶ字形状が形成する平面に対して平行であることより、カラー調整部材３０は、保持部１０に保持されるカメラＣと平行に対向する。
【００２９】
また、カラー調整部材３０は、カメラＣと対向する側の面に色彩補正面３１を備える。この色彩補正面３１は、白色３１１ａ、黒色３１１ｂ、赤色３１１ｃ、橙色３１１ｄ、黄色３１１ｅ、緑色３１１ｆ、青色３１１ｇ、藍色３１１ｈ、紫色３１１ｉといった複数の色彩を表示するカラー紙片３３１ａ〜３３１ｉを有する。カラー紙片３３１ａ〜３３１ｉは横方向に一列で配置されており、これらのカラー紙片３３１ａ〜３３１ｉが保持部１０に保持されたカメラＣの撮影範囲内に入り込む態様でカラー調整部材３０が構成される。これらのカラー紙片３１１ａ〜３１１ｉは、カメラＣで撮影した画像データの色調補正を可能にするための色彩の基準とすることができる。
【００３０】
次に、本器具１の使用について説明する。まず、保持部１０の貫通孔１２にカメラＣを挿入することにより、斜め上方に傾斜した状態でカメラＣを保持させる。
【００３１】
カメラＣを保持させた後、撮影者は、図６に示すように、本器具１を頭部に装着する。装着については、頭部装着部２０が眉の上あたりに位置するようにして行う。また、撮影者は保持部１０の延長部１３５と自分の顔の部位（たとえば、こめかみなど）との位置関係に基づいて本器具１の位置決めをする。なお、このとき、保持部１０の両切欠部１１１ｃ，１１４により、第１面１１１および第４面１１４の下部のみが折り込み線を回動軸にして回動し、頭部Ｈとの接触面と馴染むように折り返される。
【００３２】
本器具１を装着後、カメラＣのシャッターを切ることにより頭部Ｈの所定の箇所を撮影する。このとき、予め時間差でシャッターが切られる、いわゆるセルフタイマー機能を用いて撮影するようにしてもよい。
【００３３】
その後、本器具１を頭部Ｈからはずして、カメラＣで撮影した画像データを確認すれば、撮影者本人は頭部Ｈの画像を確認することができる。撮影した画像には、図７に示すように、撮影者の所定の箇所における頭部Ｈとカラー調整部材３０の色彩補正面３１が有するカラー紙片３１１ａ〜３１１ｉとが撮影されている。
【００３４】
また、撮影者は、カメラＣで撮影した画像のデータをパソコンに取り込むことにより、カラー紙片３１１ａ〜３１１ｉを色彩の基準に色彩の調整を行うことができる。
【００３５】
以上より、頭部装着部２０を頭部Ｈに装着することにより、カメラＣを頭部Ｈの上方において所定の位置で保持されるようにしたため、撮影者本人だけでも頭部Ｈの所定の箇所の撮影を簡単かつ確実に行うことができる。また、本器具１は紙素材からなるため、コストも安価で、かつ、折りたたみが可能であるため取り扱いも簡単である。
【００３６】
なお、貫通孔１２がＶ字形状である場合について説明したが、貫通孔１２によりカメラＣを上方に傾斜させる状態で保持できれば、貫通孔１２はその他の形状であってもよい。また、貫通孔１２を形成させるためのミシン目が保持部１０に設けられており、ミシン目に基づいて貫通孔１２を形成するようにしてもよく、この場合、カメラＣの保持する角度を調整し得るようにしてもよい。
【００３７】
＜第２の実施形態＞
次に、本発明に係る頭部撮影補助器具の第２の実施形態について図８〜図１１を参照しつつ説明する。
【００３８】
本実施形態において、頭部撮影補助器具（以下「本器具」という）２は、図８に示すように、頭部Ｈに装着可能に構成された頭部装着部２１と、頭部装着部２１から上方に延びる態様で設けられた保持部２００とを備えている。
【００３９】
本実施形態の保持部２００は、上下方向に長尺の第１面２０１および第２面２０２の２面が屈曲する態様で幅方向に隣接し、第１面２０１および第２面２０２の下端部には頭部装着部２１が連結されている。この保持部２００は、第１面２０１および第２面２０２における上部の両外側において、第１面２０１と屈曲する態様で隣接する第３面（図示略）と、第２面２０２と屈曲する態様で隣接する第４面２０３とを有し、第１面２０１、第２面２０２、第３面および第４面２０３の各上端面による４辺が上端を形成している。
【００４０】
この保持部２００は、上端部において平面方向に平板状の天板部２１０を備えている。天板部２１０は、第１面２０１、第２面２０２、第３面および第４面２０３の各上端面の４辺よって安定した状態で支持されており、保持部２００を介して頭部装着部２１と所定の距離を隔てた位置に配置されている。このため、撮影者が本器具２を装着することによって、天板部２１０が頭部Ｈと所定距離を隔てて対向する態様で設けられることとなる。
【００４１】
また、天板部２１０は、上面においてカメラＣを取り付けるための取付部材２２０が設けられるとともに、該取付部材２２０に取り付けられたカメラＣのレンズＰに対応する位置にレンズ孔２１０ａが形成されている。
【００４２】
前記取付部材２２０は、図８に示すように、カメラＣの幅方向を抱持する可撓性の幅方向抱持部材２２１と、カメラＣの長さ方向を抱持する可撓性の長さ方向抱持部材２２２とを備えている。
【００４３】
前記幅方向抱持部材２２１は、図９に示すように、一枚のシート部材からなり、天板部２１０の上面に平面的に密着する態様で固定される中央部２２１ａと、該中央部２２１ａの両側から互いにカメラＣの幅方向外側に延びる右側取付片２２１ｂおよび左側取付片２２１ｃとを備えている。中央部２２１ａは、幅方向についてカメラＣの幅Ｗより短い幅ｔで天板部２１０に固定されているため、右側取付片２２１ｂおよび左側取付片２２１ｃ同士は、カメラＣの幅Ｗより短い距離（幅ｔ）を隔てた位置から互いに幅方向外側に延びる態様で設けられている。また、右側取付片２２１ｂおよび左側取付片２２１ｃは、互いんび重ねられることによって貼着する態様で接続可能に構成されている。したがって、この幅方向抱持部材２２１は、カメラＣが上方に載置された後に、右側取付片２２１ｂおよび左側取付片２２１ｃが互いに対向しながらカメラＣの下方から側方、上方にかけて回り込む態様でカメラＣの上方で接続されることによって、カメラＣの幅方向の幅方向を安定して保持することができる。また、右側取付片２２１ｂおよび左側取付片２２１ｃの接続位置を変えることにより、サイズ幅の異なる種々のカメラＣに適用することができる。
【００４４】
前記長さ方向抱持部材２２２は、幅方向抱持部材２２１の中央部２２１ａ近傍から前方側に延びる前側取付片２２２ａと、中央部２２１ａ近傍から後方側に延びる後側取付片２２２ｂとを備えている。また、前側取付片２２２ａおよび後側取付片２２２ｂは、接続している右側取付片２２１ｂおよび左側取付片２２１ｃの上面に対して貼着によって接続可能に構成されている。したがって、長さ方向抱持部材２２２は、幅方向抱持部材２２１によってカメラＣが保持された後に、前側取付片２２２ａおよび後側取付片２２２ｂが互いに対向しながらカメラＣの下方から前方あるいは後方、そして上方にかけて回り込む態様で、右側取付片２１１ｂおよび左側取付片２１１ｃの上面に接続されることによって、カメラＣの長さ方向を安定して保持することができる。
【００４５】
なお、右側取付片２２１ｂと左側取付片２２１ｃ同士の接続や、前側取付片２２２ａと後側取付片２２２ｂによる右側取付片２２１ｂおよび左側取付片２２１ｃの上面への接続は、面ファスナ、粘着剤、接着剤など種々の接続部材が適用される。
【００４６】
前記レンズ孔２１０ａは、取付部材２２０に取り付けられたカメラＣのレンズＰに対応する位置、具体的には取付部材２２０の後方側に設けられている。このため、レンズＰをレンズ孔２１０ａに対応させながらカメラＣを取付部材２２０に取り付けることによって、頭部Ｈを同一の高さおよびアングルから簡単かつ確実に撮影することができ、ひいては頭部Ｈの状態の経過を正確に把握することが可能となる。
【００４７】
次に、レンズＰの位置が異なる種々のカメラＣ１〜Ｃ３の取り付けについて図１０および図１１を参照しつつ説明する。
【００４８】
まず、レンズＰ１が上方中央部に位置するカメラＣ１を取付部材２２０に取り付ける場合について説明する（図１０（ａ）及び図１１（ａ））。接続前の右側取付片２２１ａおよび左側取付片２２１ｂの上方からレンズＰ１をレンズ孔２１０ａに対応させながらカメラＣ１を載置する。そして、右側取付片２２１ｂおよび左側取付片２２１ｃが互いに対向しながらカメラＣ１の下方から側方、上方にかけて回り込む態様でカメラＣ１の上方で互いを接続することにより、カメラＣ１の幅方向を保持する。
【００４９】
その後、前側取付片２２２ａおよび後側取付片２２２ｂが互いに対向しながらカメラＣ１の下方から前方あるいは後方、そして上方にかけて回り込む態様で、接続後の右側取付片２２１ｂおよび左側取付片２２１ｃの上面に接続して、カメラＣ１の長さ方向を保持する。これにより、取付部材２２０全体の中心位置Ｑ１でカメラＣ１を保持することができる。
【００５０】
次に、レンズＰ２が上方右側に位置するカメラＣ２を取付部材２２０に取り付ける場合について説明する（図１０（ｂ）及び図１１（ｂ））。接続前の右側取付片２２１ｂおよび左側取付片２２１ｃの上方からレンズＰ２をレンズ孔２１０ａに対応させながらカメラＣ２を載置する。そして、右側取付片２２１ｂおよび左側取付片２２１ｃが互いに対向しながらカメラＣ２の下方から側方、上方にかけて回り込む態様でカメラＣ２の上方で互いを接続する。このとき、カメラＣ２の位置は上述したカメラＣ１のときの位置より左側に位置している。ここで、幅方向抱持部材２２１が可撓性であるため、接続前に右側取付片２２１ｂおよび左側取付片２２１ｃを幅方向左側に力を加えて変形させることによって、そのカメラＣ２に応じた位置でカメラＣ２の幅方向を保持することができる。これにより、取付部材２２０全体の中心位置Ｑ１から幅方向左側に変更された中心位置Ｑ２の位置でカメラＣ２を保持することができる。
【００５１】
次に、レンズＰ３が上方左側に位置するカメラＣ３を取付部材２２０に取り付ける場合について説明する（図１０（ｃ）及び図１１（ｃ））。接続前の右側取付片２２１ｂおよび左側取付片２２１ｃの上方からレンズＰ３をレンズ孔２１０ａに対応させながらカメラＣ３を載置する。そして、右側取付片２２１ｂおよび左側取付片２２１ｃを互いに対向させながらカメラＣ３の下方から側方、上方にかけて回り込ませてカメラＣ３の上方で互いを接続する。このときカメラＣの位置は上述したカメラＣ１のときの位置より右側に位置している。ここで、幅方向抱持部材２２１が可撓性であるため、右側取付片２２１ｂおよび左側取付片２２１ｃを幅方向右側に力を加えて変形させることによって、そのカメラＣ３に応じた位置でカメラＣ３の幅方向を保持することができる。これにより、取付部材２２０全体の中心位置Ｑ１から幅方向右側に変更された中心位置Ｑ３の位置でカメラＣ３を保持することができる。
【００５２】
なお、本実施形態では、接続前において幅方向に力を加えて右側取付片２２１ｂおよび左側取付片２２１ｃを変形させる場合について説明したが、接続後において幅方向に力を加えて右側取付片２２１ｂおよび左側取付片２２１ｃ変形させても、レンズＰの位置の異なるカメラＣに対応することが可能である。
【００５３】
また、幅方向抱持部材２２１は、一枚のシート部材からなる場合について説明したが、幅方向抱持部材２２１は一枚のシート部材からなっていなくてもよい。例えば、右側取付片２２１ｂおよび左側取付片２２１ｃは、個別に形成されており、天板部２１０の上面において、カメラＣの幅Ｗより短い距離ｔを隔てた位置から互いに幅方向外側に延びる可撓性の右側取付片および左側取付片が設けられるようにしてもよい。
【００５４】
また、上記各実施形態において、頭部装着部２０，２１が環形状のいずれかの位置において、環の長さを調整可能にさせるサイズ調整部を有してもよく、様々な人の頭部Ｈに応じて適宜長さを調整し得るようにしてもよい。
【００５５】
また、頭部装着部２０，２１は、頭部Ｈに巻きつけられる態様である場合について説明したが、メガネのように、撮影者の両耳に引っ掛けられる態様であってもよい。
【００５６】
また、カメラＣは撮影機能を備える携帯電話である場合について説明したが、デジタルカメラなどの撮影機能を備えるその他の装置であってもよい。
【００５７】
また、本器具１，２は紙素材である場合について説明したが、プラスチック素材やゴム素材などであってもよい。
【００５８】
また、本器具１，２は、頭部Ｈの正面側（顔がある側）に保持部１０、２００が設けられている場合について説明したが、その他の箇所に保持部が設けられるようにしてもよい。
【００５９】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【符号の説明】
【００６０】
１…頭部撮影補助器具（本器具）
１０…保持部
１２…貫通孔
１１１ｃ，１１４…切欠部
１３１，１３２…挿通孔
２０…頭部装着部
３０…カラー調整部材
３１…色彩補正面
３１１ａ〜３１１ｉ…カラー紙片
【図１】
2012128399.tif 000003
【図２】
2012128399.tif 000004
【図３】
2012128399.tif 000005
【図４】
2012128399.tif 000006
【図５】
2012128399.tif 000007
【図６】
2012128399.tif 000008
【図７】
2012128399.tif 000009
【図８】
2012128399.tif 000010
【図９】
2012128399.tif 000011
【図１０】
2012128399.tif 000012
【図１１】
2012128399.tif 000013
【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
撮影機能を備える携帯端末を用いて頭部撮影を行うに際して、頭部撮影を補助する頭部撮影補助器具であって、
頭部に装着可能に構成された頭部装着部と、
前記頭部装着部から上方に延びる態様で設けられた保持部とを備え、
前記保持部は、頭部の上方において前記携帯端末を頭部に向けて撮影し得る態様で保持することを特徴とする頭部撮影補助器具。
【請求項２】
前記保持部は貫通孔を有し、前記携帯端末が前記貫通孔に挿入されることにより前記携帯端末を保持する請求項１に記載の頭部撮影補助器具。
【請求項３】
前記保持部は、頭部に所定距離を隔てて対向する態様で設けられた天板部を備え、該天板部は携帯端末を取り付けるための取付部材が設けられるとともに、該取付部材に取り付けられた携帯端末のカメラレンズに対応する位置にレンズ孔が形成されている請求項１に記載の頭部撮影補助器具。
【請求項４】
前記取付部材は、前記天板部の上面において携帯端末の幅より短い距離を隔てた位置から互いに幅方向外側に延びる可撓性の右側取付片および左側取付片を有し、該右側取付片および左側取付片は互いに対向しながら携帯端末の下方から側方、上方にかけて回り込む態様で接続されている請求項３に記載の頭部撮影補助器具。
【請求項５】
前記保持部は、前記頭部装着部より所定の長さ分だけ下方に延在する請求項１ないし請求項４のいずれかに記載の頭部撮影補助器具。
【請求項６】
一部に少なくとも白および黒の色彩を有するカラー調整部材をさらに備え、前記カラー調整部材の一部が前記携帯端末の撮影範囲内に入り込むように設けられる請求項１ないし請求項５のいずれかに記載の頭部撮影補助器具。
【請求項７】
前記保持部および／または前記頭部装着部は、紙素材からなる請求項１ないし請求項６のいずれかに記載の頭部撮影補助器具。
【手続補正２】
【補正対象書類名】明細書
【補正対象項目名】全文
【補正方法】変更
【補正の内容】
【発明の詳細な説明】
【技術分野】
【０００１】
本発明は、撮影者本人による頭部撮影を可能にさせる頭部撮影補助器具に関する。
【背景技術】
【０００２】
従来より、頭髪が薄くなってきた人たちのために、育毛剤や薬用シャンプーなどといった頭髪や頭皮をケアする商品が多数存在している。このような商品を使用する人たちは、その商品の効果が日々気になり、複数の鏡を用いて合わせ鏡をしたり、デジタルカメラで撮影したりして、上記したような商品の効果の経過を一人で確認している。
【先行技術文献】
【特許文献】
【０００３】
【特許文献１】特開２００４−２２９７８７号公報
【発明の概要】
【発明が解決しようとする課題】
【０００４】
上記のような商品の効果の経過を確認するには、毎回、頭部において同一の位置を確認しなければ正確に確認し得ない。しかしながら、合わせ鏡やデジタルカメラによって、同一の位置を一人で確認することは極めて困難なため、正確には確認することができない。
【０００５】
一方で、上記した特許文献１には、頭部を撮影する装置について開示されているが、頭髪の生えている箇所を撮影することはできない上に、装置そのものも大きく、コストがかかるため、上記したような商品の効果の経過を確認するには不適切である。
【０００６】
そこで、本発明は、上記した問題点に鑑みてなされたものであって、簡単かつ確実に撮影者本人の頭部の撮影を可能にさせる頭部撮影補助器具を提供することを目的とする。
【課題を解決するための手段】
【０００７】
本発明に係る頭部撮影補助器具は、撮影機能を備える携帯端末を用いて頭部撮影を行うに際して、頭部撮影を補助する頭部撮影補助器具であって、頭部に装着可能に構成された頭部装着部と、前記頭部装着部から上方に延びる態様で設けられた保持部とを備え、前記保持部は、頭部の上方において前記携帯端末を頭部に向けて撮影し得る態様で保持することを特徴とする。これによれば、本頭部撮影補助器具を用いることによって、携帯端末が頭部に向けて撮影し得る態様で保持されるため、撮影者本人が頭部を簡単かつ確実に撮影することができる。
【０００８】
また、前記保持部は貫通孔を有し、前記携帯端末が前記貫通孔に挿入されることにより前記携帯端末を保持するのが好ましい。これによれば、携帯端末を簡単かつ確実に保持させることができる。
【０００９】
また、前記保持部は、頭部に所定距離を隔てて対向する態様で設けられた天板部を備え、該天板部は携帯端末を取り付けるための取付部材が設けられるとともに、該取付部材に取り付けられた携帯端末のカメラレンズに対応する位置にレンズ孔が形成されていてもよい。これによれば、カメラレンズを天板部のレンズ孔に対応させながら携帯端末を天板部の取付部材に取り付けることによって、頭部を同一の高さおよびアングルから簡単かつ確実に撮影することができ、ひいては頭部の状態の経過を正確に把握することが可能となる。
【００１０】
また、前記取付部材は、前記天板部の上面において携帯端末の幅より短い距離を隔てた位置から互いに幅方向外側に延びる可撓性の右側取付片および左側取付片を有し、該右側取付片および左側取付片は互いに対向しながら携帯端末の下方から側方、上方にかけて回り込む態様で接続されているのが好ましい。これによれば、取付部材が携帯端末の下方から側方、上方にかけて回り込むため、携帯端末を安定して保持することができる。また、右側取付片および左側取付片の接続位置を変えることにより、サイズ幅の異なる種々の携帯端末に適用することができる。さらに、右側取付片および左側取付片は可撓性であるため、右側取付片および左側取付片を接続する前後に幅方向に力を加えて変形させることにより、取付部材全体の中心位置を幅方向に変更することができ、カメラレンズ位置の異なる種々の携帯端末に対応することが可能となる。
【００１１】
また、保持部は、頭部装着部より所定の長さ分だけ下方に延在するのが好ましい。これによれば、撮影者本人は、頭部装着部より下方に延在する保持部の下端部と本人の顔の部位との位置関係を把握することが可能になるため、これに基づいて、撮影者は一人でも撮影箇所を確実に特定することができる。
【００１２】
また、一部に少なくとも白および黒の色彩を有するカラー調整部材をさらに備え、前記カラー調整部材の一部が前記携帯端末の撮影範囲内に入り込むように設けられるのが好ましい。これによれば、撮影した画像の色調を調整し得るため、正確な色彩の画像を確実に得ることができる。
【００１３】
また、保持部および／または頭部装着部は、紙素材からなるのが好ましい。これによれば、コストも安価で、かつ、折りたたみが可能であるため取り扱いも簡単である。
【発明の効果】
【００１４】
本発明によれば、本頭部撮影補助器具を用いることによって、携帯端末が頭部に向けて撮影し得る態様で保持されるため、撮影者本人が頭部を簡単かつ確実に撮影することができる。このため、育毛剤や薬用シャンプーなどの育毛・増毛・発毛関連の商品を使用するに際して、使用者はそれらの商品の頭部に対する効果を継続的に確認することが可能になる。
【図面の簡単な説明】
【００１５】
【図１】第１の実施形態に係る頭部撮影補助器具を示す斜視図である。
【図２】頭部撮影補助器具を示す正面図である。
【図３】図２におけるＩＩＩ−ＩＩＩ線矢視図である。
【図４】頭部撮影補助器具を示す平面図である。
【図５】頭部撮影補助器具を示す背面図である。
【図６】頭部撮影補助器具を装着した状態の左側面図である。
【図７】頭部撮影補助器具で撮影された画像を示す図である。
【図８】第２の実施形態に係る頭部撮影補助器具を示す斜視図である。
【図９】取付部材の展開図である。
【図１０】レンズ位置の異なるカメラ毎の頭部撮影補助器具の平面図である。
【図１１】レンズ位置の異なるカメラ毎の頭部撮影補助器具の正面図である。
【発明を実施するための形態】
【００１６】
＜第１の実施形態＞
次に、本発明に係る頭部撮影補助器具の第１の実施形態について図面を参照しつつ説明する。
【００１７】
本実施形態に係る頭部撮影補助器具（以下「本器具」という）１は、紙素材からなり、図１に示すように、頭部Ｈに装着可能に構成された頭部装着部２０と、頭部装着部２０から上方に延びる態様で設けられた保持部１０とを備え、保持部１０の略中央部に設けられるカラー調整部材３０とを備える。
【００１８】
なお、ここで用いられるカメラＣは、撮影機能を備える携帯端末であり、たとえば、携帯電話などが含まれる。また、カメラＣは、矩形状で所定の厚みの略筺体形状を有し、矩形状の面のいずれか一方側に撮影するためのレンズＰが設けられており、このレンズＰが下方に向くような状態で設けられるものとする。
【００１９】
前記保持部１０は、図２に示すように、上下方向に延びる長尺物であり、第１面１１１、第２面１１２、上部第３面１１３、および、第４面１１４の４面が順に幅方向に隣接している。具体的に、この保持部１０は、矩形状の１枚のシートからなり、縦方向への折り込みを３つ横並びで有しており、これら３つの折り込みに基づいて、各面１１１〜１１４は同一の方向に屈折するように折り込まれている。なお、保持部１０は、第２面１１２と第３面１１３との境界線Ｌを対象軸として左右対称であり、第１面１１１および第４面１１４は対向している。
【００２０】
第２面１１２および第３面１１３には、上端部近傍において両面１１２，１１３にわたって貫通孔１２が形成されている。この貫通孔１２は、第１面１１１と第２面１１２との境界部近傍から第３面１１３と第４面１１４との境界部近傍まで同一幅で形成されており、境界部Ｌについて対称的な略Ｖ字状に形成されている。換言すれば、貫通孔１２は、境界線Ｌの部分が最も低くなるように形成されており、第１面１１１および第４面１１４側に向かって上方に同様の傾斜で形成されている。貫通孔１２の下側における第２面１１２および第３面１１３の端部は、図３に示すように、同一平面上においてＶ字形状をなす。また、同様に、貫通孔１２の上側における第２面１１２および第３面１１３の端部も同一平面上においてＶ字形状をなしている。
【００２１】
上記の貫通孔１２には、図１に示すように、カメラＣが挿入される。カメラＣは、図１中の矢印の示す方向に従って、保持部１０の前方から後方に向けて貫通孔１２に挿入される。このとき、貫通孔１２においては、境界線Ｌの部分が最も低く、境界線Ｌについて対称的な略Ｖ字状に形成されているため、カメラＣを挿入させると、カメラＣは斜め上方に傾斜した状態でスライドされる。貫通孔１２の下側における第２面１１２および第３面１１３の端部が同一平面においてＶ字形状であるため、その下側のＶ字形状の端部がカメラＣに対して仮想的な平面として作用し、所定分だけ挿入されたカメラＣを平面的に支持する。一方、貫通孔１２の上側における第２面１１２および第３面１１３の端部もＶ字形状であるため、カメラＣに対して平面的に作用する。従って、カメラＣは、貫通孔１２の下側のＶ字形状の端部および上側のＶ字形状の端部により、上下両方が平面的に支持されるため、斜め上方に傾斜した状態で安定的に保持部１０に保持され得る。
【００２２】
なお、図示しないが、保持部１０は、カメラＣを保持する位置を一定にするための目安となるカメラ位置特定目盛を備えてもよい。
【００２３】
第１面１１１および第４面１１４には、図２に示すように、各々切欠部１１１ｃ，１１４ｃが備えられている。これら切欠部１１１ｃ，１１４ｃは、各々の中間部において、ともに各面１１１，１１４の後方から前方に向かうにつれて下方向に傾斜するように形成された切り込みにより構成されている。また、切欠部１１１ｃ，１１４ｃが設けられる第１面１１１と第４面１１４とは対向していることより、各切欠部１１１ｃ，１１４ｃの切り込みが平行する。従って、両切欠部１１１ｃ，１１４ｃは、後述するカラー調整部材３０を挿入して固定することが可能である。
【００２４】
また、切欠部１１１ｃ，１１４ｃは、第１面１１１と第２面１１２との境界部近傍および第３面１１３と第４面１１４との境界部近傍まで切り込まれている。従って、第１面１１１および第４面１１４を各々上部と下部との２つの片に分離されるため、第１面１１１および第４面１１４における各上部および各下部が、第１面１１１と第２面１１２との折り込み線および第１面１１１と第２面１１２との折り込み線を回動軸として独立して回動可能である。
【００２５】
また、第１面１１１および第４面１１４には、図２および図５に示すように、挿通孔１３１，１３２が備えられている。これら挿通孔１３１，１３２は、第１面１１１および第４面１１４の下方側に形成された縦長の孔である。ここにおいて、挿通孔１３１，１３２は、切欠部１１１ｃ，１１４ｃの下方であって隣接する第２面１１２や第３面１１３側の近傍側で対をなすように設けられている。また、挿通孔１３１，１３２は、後述の頭部装着部２０を挿通させる程度の大きさで形成されている。従って、これら挿通孔１３１，１３２はいずれも、頭部装着部２０を挿通させることができる。また、挿通孔１３１，１３２における縦方向の長さは頭部装着部２０の幅と略同一であり、挿通孔１３１，１３２における幅方向の長さは頭部装着部２０の厚さと略同一である。
【００２６】
さらに第１面１１１〜第４面１１４には、挿通孔１３１，１３２が設けられる位置よりも所定の長さ分だけ下方に延在する延長部１３５が備えられている。撮影者本人は、延長部１３５の下端と本人の顔の部位との位置関係に基づいて、カメラＣを所定の位置に特定することが可能になるため、撮影箇所を一人でも確実に特定することが可能になる。
【００２７】
前記頭部装着部２０は、図２および図４に示すように、一定の幅および厚みを有し、挿通孔１３１，１３２を外側から連続して挿通する帯状の環部材である。この頭部装着部２０は、挿通孔１３１，１３２の２つの孔を連続して挿通することより、保持部１０を２点で支持するため、保持部１０を安定した状態で支持することができる。また、頭部装着部２０は、頭部Ｈの周方向に巻かれる態様で装着されるため、頭部Ｈの前面側において保持部１０を略直立させた状態で支持することが可能になる。
【００２８】
前記カラー調整部材３０は、シート部材であり、図１に示すように、保持部１０の切欠部１１１ｃ，１１４ｃに差し込まれる態様で固定されている。切欠部１１１ｃ，１１４ｃにおける両切り込みが貫通孔１２の下側端部および上側端部のＶ字形状が形成する平面に対して平行であることより、カラー調整部材３０は、保持部１０に保持されるカメラＣと平行に対向する。
【００２９】
また、カラー調整部材３０は、カメラＣと対向する側の面に色彩補正面３１を備える。この色彩補正面３１は、白色３１１ａ、黒色３１１ｂ、赤色３１１ｃ、橙色３１１ｄ、黄色３１１ｅ、緑色３１１ｆ、青色３１１ｇ、藍色３１１ｈ、紫色３１１ｉといった複数の色彩を表示するカラー紙片３３１ａ〜３３１ｉを有する。カラー紙片３３１ａ〜３３１ｉは横方向に一列で配置されており、これらのカラー紙片３３１ａ〜３３１ｉが保持部１０に保持されたカメラＣの撮影範囲内に入り込む態様でカラー調整部材３０が構成される。これらのカラー紙片３１１ａ〜３１１ｉは、カメラＣで撮影した画像データの色調補正を可能にするための色彩の基準とすることができる。
【００３０】
次に、本器具１の使用について説明する。まず、保持部１０の貫通孔１２にカメラＣを挿入することにより、斜め上方に傾斜した状態でカメラＣを保持させる。
【００３１】
カメラＣを保持させた後、撮影者は、図６に示すように、本器具１を頭部に装着する。装着については、頭部装着部２０が眉の上あたりに位置するようにして行う。また、撮影者は保持部１０の延長部１３５と自分の顔の部位（たとえば、こめかみなど）との位置関係に基づいて本器具１の位置決めをする。なお、このとき、保持部１０の両切欠部１１１ｃ，１１４により、第１面１１１および第４面１１４の下部のみが折り込み線を回動軸にして回動し、頭部Ｈとの接触面と馴染むように折り返される。
【００３２】
本器具１を装着後、カメラＣのシャッターを切ることにより頭部Ｈの所定の箇所を撮影する。このとき、予め時間差でシャッターが切られる、いわゆるセルフタイマー機能を用いて撮影するようにしてもよい。
【００３３】
その後、本器具１を頭部Ｈからはずして、カメラＣで撮影した画像データを確認すれば、撮影者本人は頭部Ｈの画像を確認することができる。撮影した画像には、図７に示すように、撮影者の所定の箇所における頭部Ｈとカラー調整部材３０の色彩補正面３１が有するカラー紙片３１１ａ〜３１１ｉとが撮影されている。
【００３４】
また、撮影者は、カメラＣで撮影した画像のデータをパソコンに取り込むことにより、カラー紙片３１１ａ〜３１１ｉを色彩の基準に色彩の調整を行うことができる。
【００３５】
以上より、頭部装着部２０を頭部Ｈに装着することにより、カメラＣを頭部Ｈの上方において所定の位置で保持されるようにしたため、撮影者本人だけでも頭部Ｈの所定の箇所の撮影を簡単かつ確実に行うことができる。また、本器具１は紙素材からなるため、コストも安価で、かつ、折りたたみが可能であるため取り扱いも簡単である。
【００３６】
なお、貫通孔１２がＶ字形状である場合について説明したが、貫通孔１２によりカメラＣを上方に傾斜させる状態で保持できれば、貫通孔１２はその他の形状であってもよい。また、貫通孔１２を形成させるためのミシン目が保持部１０に設けられており、ミシン目に基づいて貫通孔１２を形成するようにしてもよく、この場合、カメラＣの保持する角度を調整し得るようにしてもよい。
【００３７】
＜第２の実施形態＞
次に、本発明に係る頭部撮影補助器具の第２の実施形態について図８〜図１１を参照しつつ説明する。
【００３８】
本実施形態において、頭部撮影補助器具（以下「本器具」という）２は、図８に示すように、頭部Ｈに装着可能に構成された頭部装着部２１と、頭部装着部２１から上方に延びる態様で設けられた保持部２００とを備えている。
【００３９】
本実施形態の保持部２００は、上下方向に長尺の第１面２０１および第２面２０２の２面が屈曲する態様で幅方向に隣接し、第１面２０１および第２面２０２の下端部には頭部装着部２１が連結されている。この保持部２００は、第１面２０１および第２面２０２における上部の両外側において、第１面２０１と屈曲する態様で隣接する第３面（図示略）と、第２面２０２と屈曲する態様で隣接する第４面２０３とを有し、第１面２０１、第２面２０２、第３面および第４面２０３の各上端面による４辺が上端を形成している。
【００４０】
この保持部２００は、上端部において平面方向に平板状の天板部２１０を備えている。天板部２１０は、第１面２０１、第２面２０２、第３面および第４面２０３の各上端面の４辺よって安定した状態で支持されており、保持部２００を介して頭部装着部２１と所定の距離を隔てた位置に配置されている。このため、撮影者が本器具２を装着することによって、天板部２１０が頭部Ｈと所定距離を隔てて対向する態様で設けられることとなる。
【００４１】
また、天板部２１０は、上面においてカメラＣを取り付けるための取付部材２２０が設けられるとともに、該取付部材２２０に取り付けられたカメラＣのレンズＰに対応する位置にレンズ孔２１０ａが形成されている。
【００４２】
前記取付部材２２０は、図８に示すように、カメラＣの幅方向を抱持する可撓性の幅方向抱持部材２２１と、カメラＣの長さ方向を抱持する可撓性の長さ方向抱持部材２２２とを備えている。
【００４３】
前記幅方向抱持部材２２１は、図９に示すように、一枚のシート部材からなり、天板部２１０の上面に平面的に密着する態様で固定される中央部２２１ａと、該中央部２２１ａの両側から互いにカメラＣの幅方向外側に延びる右側取付片２２１ｂおよび左側取付片２２１ｃとを備えている。中央部２２１ａは、幅方向についてカメラＣの幅Ｗより短い幅ｔで天板部２１０に固定されているため、右側取付片２２１ｂおよび左側取付片２２１ｃ同士は、カメラＣの幅Ｗより短い距離（幅ｔ）を隔てた位置から互いに幅方向外側に延びる態様で設けられている。また、右側取付片２２１ｂおよび左側取付片２２１ｃは、互いんび重ねられることによって貼着する態様で接続可能に構成されている。したがって、この幅方向抱持部材２２１は、カメラＣが上方に載置された後に、右側取付片２２１ｂおよび左側取付片２２１ｃが互いに対向しながらカメラＣの下方から側方、上方にかけて回り込む態様でカメラＣの上方で接続されることによって、カメラＣの幅方向の幅方向を安定して保持することができる。また、右側取付片２２１ｂおよび左側取付片２２１ｃの接続位置を変えることにより、サイズ幅の異なる種々のカメラＣに適用することができる。
【００４４】
前記長さ方向抱持部材２２２は、幅方向抱持部材２２１の中央部２２１ａ近傍から前方側に延びる前側取付片２２２ａと、中央部２２１ａ近傍から後方側に延びる後側取付片２２２ｂとを備えている。また、前側取付片２２２ａおよび後側取付片２２２ｂは、接続している右側取付片２２１ｂおよび左側取付片２２１ｃの上面に対して貼着によって接続可能に構成されている。したがって、長さ方向抱持部材２２２は、幅方向抱持部材２２１によってカメラＣが保持された後に、前側取付片２２２ａおよび後側取付片２２２ｂが互いに対向しながらカメラＣの下方から前方あるいは後方、そして上方にかけて回り込む態様で、右側取付片２１１ｂおよび左側取付片２１１ｃの上面に接続されることによって、カメラＣの長さ方向を安定して保持することができる。
【００４５】
なお、右側取付片２２１ｂと左側取付片２２１ｃ同士の接続や、前側取付片２２２ａと後側取付片２２２ｂによる右側取付片２２１ｂおよび左側取付片２２１ｃの上面への接続は、面ファスナ、粘着剤、接着剤など種々の接続部材が適用される。
【００４６】
前記レンズ孔２１０ａは、取付部材２２０に取り付けられたカメラＣのレンズＰに対応する位置、具体的には取付部材２２０の後方側に設けられている。このため、レンズＰをレンズ孔２１０ａに対応させながらカメラＣを取付部材２２０に取り付けることによって、頭部Ｈを同一の高さおよびアングルから簡単かつ確実に撮影することができ、ひいては頭部Ｈの状態の経過を正確に把握することが可能となる。
【００４７】
次に、レンズＰの位置が異なる種々のカメラＣ１〜Ｃ３の取り付けについて図１０および図１１を参照しつつ説明する。
【００４８】
まず、レンズＰ１が上方中央部に位置するカメラＣ１を取付部材２２０に取り付ける場合について説明する（図１０（ａ）及び図１１（ａ））。接続前の右側取付片２２１ａおよび左側取付片２２１ｂの上方からレンズＰ１をレンズ孔２１０ａに対応させながらカメラＣ１を載置する。そして、右側取付片２２１ｂおよび左側取付片２２１ｃが互いに対向しながらカメラＣ１の下方から側方、上方にかけて回り込む態様でカメラＣ１の上方で互いを接続することにより、カメラＣ１の幅方向を保持する。
【００４９】
その後、前側取付片２２２ａおよび後側取付片２２２ｂが互いに対向しながらカメラＣ１の下方から前方あるいは後方、そして上方にかけて回り込む態様で、接続後の右側取付片２２１ｂおよび左側取付片２２１ｃの上面に接続して、カメラＣ１の長さ方向を保持する。これにより、取付部材２２０全体の中心位置Ｑ１でカメラＣ１を保持することができる。
【００５０】
次に、レンズＰ２が上方右側に位置するカメラＣ２を取付部材２２０に取り付ける場合について説明する（図１０（ｂ）及び図１１（ｂ））。接続前の右側取付片２２１ｂおよび左側取付片２２１ｃの上方からレンズＰ２をレンズ孔２１０ａに対応させながらカメラＣ２を載置する。そして、右側取付片２２１ｂおよび左側取付片２２１ｃが互いに対向しながらカメラＣ２の下方から側方、上方にかけて回り込む態様でカメラＣ２の上方で互いを接続する。このとき、カメラＣ２の位置は上述したカメラＣ１のときの位置より左側に位置している。ここで、幅方向抱持部材２２１が可撓性であるため、接続前に右側取付片２２１ｂおよび左側取付片２２１ｃを幅方向左側に力を加えて変形させることによって、そのカメラＣ２に応じた位置でカメラＣ２の幅方向を保持することができる。これにより、取付部材２２０全体の中心位置Ｑ１から幅方向左側に変更された中心位置Ｑ２の位置でカメラＣ２を保持することができる。
【００５１】
次に、レンズＰ３が上方左側に位置するカメラＣ３を取付部材２２０に取り付ける場合について説明する（図１０（ｃ）及び図１１（ｃ））。接続前の右側取付片２２１ｂおよび左側取付片２２１ｃの上方からレンズＰ３をレンズ孔２１０ａに対応させながらカメラＣ３を載置する。そして、右側取付片２２１ｂおよび左側取付片２２１ｃを互いに対向させながらカメラＣ３の下方から側方、上方にかけて回り込ませてカメラＣ３の上方で互いを接続する。このときカメラＣの位置は上述したカメラＣ１のときの位置より右側に位置している。ここで、幅方向抱持部材２２１が可撓性であるため、右側取付片２２１ｂおよび左側取付片２２１ｃを幅方向右側に力を加えて変形させることによって、そのカメラＣ３に応じた位置でカメラＣ３の幅方向を保持することができる。これにより、取付部材２２０全体の中心位置Ｑ１から幅方向右側に変更された中心位置Ｑ３の位置でカメラＣ３を保持することができる。
【００５２】
なお、本実施形態では、接続前において幅方向に力を加えて右側取付片２２１ｂおよび左側取付片２２１ｃを変形させる場合について説明したが、接続後において幅方向に力を加えて右側取付片２２１ｂおよび左側取付片２２１ｃ変形させても、レンズＰの位置の異なるカメラＣに対応することが可能である。
【００５３】
また、幅方向抱持部材２２１は、一枚のシート部材からなる場合について説明したが、幅方向抱持部材２２１は一枚のシート部材からなっていなくてもよい。例えば、右側取付片２２１ｂおよび左側取付片２２１ｃは、個別に形成されており、天板部２１０の上面において、カメラＣの幅Ｗより短い距離ｔを隔てた位置から互いに幅方向外側に延びる可撓性の右側取付片および左側取付片が設けられるようにしてもよい。
【００５４】
また、上記各実施形態において、頭部装着部２０，２１が環形状のいずれかの位置において、環の長さを調整可能にさせるサイズ調整部を有してもよく、様々な人の頭部Ｈに応じて適宜長さを調整し得るようにしてもよい。
【００５５】
また、頭部装着部２０，２１は、頭部Ｈに巻きつけられる態様である場合について説明したが、メガネのように、撮影者の両耳に引っ掛けられる態様であってもよい。
【００５６】
また、カメラＣは撮影機能を備える携帯電話である場合について説明したが、デジタルカメラなどの撮影機能を備えるその他の装置であってもよい。
【００５７】
また、本器具１，２は紙素材である場合について説明したが、プラスチック素材やゴム素材などであってもよい。
【００５８】
また、本器具１，２は、頭部Ｈの正面側（顔がある側）に保持部１０、２００が設けられている場合について説明したが、その他の箇所に保持部が設けられるようにしてもよい。
【００５９】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【符号の説明】
【００６０】
１…頭部撮影補助器具（本器具）
１０…保持部
１２…貫通孔
１１１ｃ，１１４…切欠部
１３１，１３２…挿通孔
２０…頭部装着部
３０…カラー調整部材
３１…色彩補正面
３１１ａ〜３１１ｉ…カラー紙片